Podtech/llm-jp-corpus-v4-ja_patent huggingface dataset:
(57)【要約】      （修正有）【課題】津波や高波による災害現場より迅速に安全を確保する事ができる携帯型救命浮袋を提供する。【解決手段】水密区画された多層で小さな複数の浮袋を有する携帯型救命浮袋であって、電動エアポンプ１の電源ＳＷ３を操作して電源４から供給した電力で、空気をホース５より本体６の複数の救命浮袋７に有る空気取込口８へ空気を供給し制御する。本体６の中に有る複数の浸水防止換気孔９より浸水が無い事を確認し、復原性用重り１２を複数セットする。リクライニング椅子１０に腰掛けて、本体６を密閉する。救命浮袋の室内１１で、津波や高波による濁流など災害から身を守る。【選択図】図１
0003188226.tif 000002
【実用新案登録請求の範囲】
【請求項１】
浸水防止の空間を設けた携帯型救命浮袋
【考案の詳細な説明】
【考案の詳細な説明】
【技術分野】
【０００１】  保案機械器具分野
【背景技術】
【０００２】  従来、身体装着や浮輪及び乗船用救命浮袋はあったが、保案機器としての機能が低く、活用するのに制限があった。
【考案の開示】
【考案が解決しようとする課題】
【０００３】  本案は、その欠点を除いて、しかも機能を活かした救命浮袋を開発しようとするものである。
【課題を解決するための手段】
【０００４】  いまその解決手段を図面を追いながら説明すれば
（イ）  電動エアポンプ（１）の電源ＳＷ（３）を操作して、電源（４）から供給した電力で空気をホース（５）より本体（６）の複数の救命浮袋（７）に有る空気取込口（８）へ供給し制御する。また、電動エアポンプ（１）が誤動作を起こした場合、手動用空気ポンプ（２）を使用する。
（ロ）  本体（６）の中に有る複数の浸水防止換気孔（９）より浸水が無い事を確認し、復原性用重り（１２）を複数セットする。
リクライニング椅子（１０）に腰掛て、本体（６）を密閉する。
（ハ）  救命浮袋の室内（１１）で、津波や高波による濁流など災害から身を守る。
【考案の効果】
【０００５】  本案は、以上のような構造であるから、これを使用する事により、多層で複数の浮袋が支水隔壁の役割をして、水密区画され沈没しない様にできる救命浮袋である。
【考案を実施するための最良の形態】
【実施例】
【０００６】  なお、本案の実施にあたって次の如きことができる。
（イ）  リクライニング椅子（１０）を本体（６）へ複数設置する事で寝たきり老人や病人及び被災者を、津波や高波による災害現場より迅速に安全を確保する事ができる。
【図面の簡単な説明】
【０００７】
【図１】  本考案の救命浮袋の正面図
【符号の説明】
【０００８】（１）電動エアポンプ  （２）手動用空気ポンプ  （３）電源ＳＷ
（４）電源  （５）ホース  （６）本体  （７）救命浮袋  （８）空気取込口
（９）浸水防止換気孔  （１０）リクライニング  （１１）救命浮袋の室内
（１２）復原性用重り
【図１】
0003188226.tif 000003
【手続補正書】
【提出日】平成25年8月9日(2013.8.9)
【手続補正１】
【補正対象書類名】実用新案登録請求の範囲
【補正対象項目名】全文
【補正方法】変更
【補正の内容】
【実用新案登録請求の範囲】
【請求項１】
多層で複数の浸水防止換気孔浮袋を有する携帯型救命浮袋
【手続補正書】
【提出日】平成25年10月11日(2013.10.11)
【手続補正１】
【補正対象書類名】実用新案登録請求の範囲
【補正対象項目名】全文
【補正方法】変更
【補正の内容】
【実用新案登録請求の範囲】
【請求項１】
水密区画された多層で小さな複数の浮袋を有する携帯型救命浮袋
(57)【要約】      （修正有）【課題】変型歯や親知らずを歯磨きする歯ブラシを提供する。【課題手段】親知らず歯用として歯ブラシ床部の先端部分に合成樹脂性軟体２を取り付けブラシ先端部１の高さを高くし、変型歯用歯ブラシとしてブラシの形状を三角形で山型とする。【選択図】図３
0003188228.tif 000002
【実用新案登録請求の範囲】
【請求項１】
親知らず歯用歯ブラシ先端床部合成樹脂性軟体とブラシ部先端高形体、変型歯用ブラシ部山型先端突起歯ブラシ
【考案の詳細な説明】
【技術分野】
【０００１】  本考案は、変形歯用歯ブラシに関する
【背景技術】  親知らず歯と変型歯用歯ブラシである。
【考案の概要】
【考案が解決しようとする課題】
【０００３】  親知らず歯や変型歯を歯磨きする際現行の市販歯ブラシ形体では、奥歯の親知らず歯では歯茎と口腔内壁に歯ブラシの硬い柄の先端部が当たり衝撃痛が生じまた歯の変型により歯間歯根に沈殿物が残留し綺麗に歯磨き出来ない。そこで親知らず歯用にはブラシ床部の先端部を合成樹脂性軟体形体とし衝撃痛を防ぎ更にブラシ先端部を高くし、変型歯用にはブラシ部分を山型先端突起型とすれば縦磨きが出来歯間と歯根の沈殿物が取れ歯磨きが綺麗に出来るのである。
【課題を解決するための手段】
【０００４】  親知らず歯用歯ブラシ柄先端部分を合成樹脂性軟体としブラシ先端部を高くしまた変型歯用にはブラシ形状を山型先端突起とする。
【考案の効果】
【０００５】  現行の歯ブラシ柄部は硬質柄であり親知らず歯磨きでは歯が変型していることから柄部分の先端が歯茎と口腔内壁に衝撃痛が生じる。更に親知らず歯も変型歯の場合も歯磨きしても歯が変型している為現行市販歯ブラシは歯と並行又は上下歯磨きである為変型歯では歯間歯根に付着した沈殿物が取れずその為歯肉炎、歯周炎、重度歯周炎誤燕歯垢による誤燕性肺炎等の弊害が生じている。本件考案歯ブラシでは歯間歯根奥にブラシを入れることが出来これらが解決される。上記の病気を予防する為にも日常の清潔な歯磨きブラッシングが重要であり親知らずの人歯並びの悪い人は当然ながら自己で歯磨き不能の寝たきり高齢者、障害者、幼園児、入れ歯には当変型歯用歯ブラシは有効である。
試作品で親知らず歯・変型歯・寝たきり高齢者の人でテスト使用したが歯茎と口腔内壁に歯ブラシの硬い柄の先端部で痛みが生じず変型歯の人、入れ歯も寝たきり高齢者の人への歯磨きも楽で沈殿物が取れ利用価値が有った。
【図面の簡単な説明】
【０００６】
【図１】  親知らず歯である。
【図２】  変型歯である。
【図３】  親知らず用歯ブラシである。
【図４】  親知らず用歯ブラシ展開図である。
【図５】  変型歯用歯ブラシである。
【図６】  変型歯用歯ブラシ展開図である。
【符号の説明】
【０００７】（１）  …  歯ブラシ先端部のブラシを高くした形状である。
（２）  …  歯ブラシ先端部の合成樹脂性軟体形体である。
（３）  …  通常の歯ブラシ形体である。
（４）  …  （１）の歯ブラシ先端部を高くしたブラシの形状
（５）  …  （２）の歯ブラシ先端部（ブラシ床部）の合成樹脂性軟体形体
（６）  …  通常の歯ブラシのブラシ形体
（７）  …  通常の歯ブラシ形体（ブラシ床部）
（８）  …  通常の歯ブラシ形体（柄部）
（９）  …  通常の歯ブラシ形体（ブラシ床部）
（１０）…  山型先端突起形式ブラシ形体
（１１）…  通常の歯ブラシ形体（柄部）
（１２）…  山型先端突起形式としたブラシ形体
（１３）…  通常の歯ブラシ形体）（ブラシ床部）
【考案を実施するための形態】
【０００８】  親知らず歯の歯磨きの際現行市販歯ブラシのブラシ床部（図３（３））先端部は硬質であり歯が変形している為歯茎と口腔内壁に衝撃と痛みが生じまた市販歯ブラシのブラシ部は平たんであり親知らず歯歯磨きは歯間歯根を綺麗に出来ない。図３（２）に示すように歯ブラシ先端部約５ｍｍを合成樹脂性軟体形体とし更にブラシ先端部を５ｍｍ高く（１）し親知らず歯を綺麗に歯磨きする。合成樹脂性軟体形体の硬さはブラシを支え歯磨き動作に耐えられ歯茎と口腔内壁に衝撃と痛みの生じない幼児用遊戯ボール位の硬さとする。更に変型歯用歯ブラシは現行市販歯磨きはブラシ部が平たんであり変型歯の歯間歯根を綺麗に磨けないことから縦磨きも可能なようにブラシ部分の山頂部をほぼ直角の山型（１０）先端突起形体とし歯ブラシの高さ、床面の幅は市販歯ブラシの平均値である幅約５ｍｍ長さ約２ｃｍとし幼児用は幅約５ｍｍ長さは約１、５ｃｍとし高さはそれぞれ１ｃｍとする。
以下扱い方について説明する。
親知らず歯用歯ブラシは、ブラシ床部先端を合成樹脂性軟体形体としたので歯茎と口腔内壁に衝撃がなくなり歯ブラシ先端を長くしたことから歯間歯根の沈殿物を取り除く歯磨きする。変形歯用歯ブラシは歯が変形の為現行市販歯ブラシでは歯間等の沈殿物を取り除けない為ブラシ部を山型先端突起形体とし縦磨きをし歯間等の沈殿物を取り除く。自己で歯磨き不能の寝たきり高齢者、障害者、幼園児や入れ歯にはこの変型歯用歯ブラシを歯磨きをして上げる人にも活用する。
【図１】
0003188228.tif 000003
【図２】
0003188228.tif 000004
【図３】
0003188228.tif 000005
【図４】
0003188228.tif 000006
【図５】
0003188228.tif 000007
【図６】
0003188228.tif 000008
【手続補正書】
【提出日】平成25年7月5日(2013.7.5)
【手続補正１】
【補正対象書類名】実用新案登録請求の範囲
【補正対象項目名】全文
【補正方法】変更
【補正の内容】
【実用新案登録請求の範囲】
【請求項１】
親知らず用歯ブラシで図３（１）（２）（３）形態で歯ブラシ先端床部に合成樹脂製軟体を取り付けた形状を有する歯ブラシ
【請求項２】
歯の隙間にブラシが容易に入るブラシ部を先端の尖った三角形で図６（１２）の山型とした形状を有する歯ブラシ
【手続補正書】
【提出日】平成25年8月26日(2013.8.26)
【手続補正１】
【補正対象書類名】実用新案登録請求の範囲
【補正対象項目名】全文
【補正方法】変更
【補正の内容】
【実用新案登録請求の範囲】
【請求項１】
親知らず用歯ブラシで歯ブラシ先端部に合成樹脂製軟体形体を取り付けた形状（２）を有する歯ブラシ
【請求項２】
歯の隙間にブラシが容易に入るブラシ部を先端の尖った三角形で（１２）の山型とした形状を有する歯ブラシ
【手続補正書】
【提出日】平成25年10月23日(2013.10.23)
【手続補正１】
【補正対象書類名】実用新案登録請求の範囲
【補正対象項目名】全文
【補正方法】変更
【補正の内容】
【実用新案登録請求の範囲】
【請求項１】
親知らず用歯ブラシで歯ブラシ先端部に合成樹脂製軟体形体（２）を取り付けたことを特徴とする歯ブラシ
【請求項２】
歯の隙間にブラシが容易に入るブラシ部を先端の尖った三角形で山型（１２）とした形状を有する歯ブラシ
(57)【要約】      （修正有）【課題】中高層ビルに住んでいたり、働いていた人が巨大地震で自身がいたビルの崩壊で、地上に降り立てられるように建造物の外部からロープによる防災路を経て、地上に降りたち、自らの力で避難所へ行くことができる防災用３点支持２連ロープ支持器を提供する。【解決手段】アングル型のロープ支持器本体１からなる防災用３点支持２連ロープ支持器である。アングル型のロープ支持器本体１において底辺となる一辺には両端と中間等に３つの金具支持穴３を備え、直角に立つもう一辺には両端にロープ支持穴２を備え、もう一辺の角は丸みを有する。【選択図】図１
0003188229.tif 000002
【実用新案登録請求の範囲】
【請求項１】
直角鋼材の１辺にロープについたフックが止められるロープ支持穴（２）を両端に設け、金具の角で怪我をしないように丸みを設け、もう一辺に建造物に固定できる金具支持穴（３）を３つ設け、金属片のすべての角にはバリ落としをしたアングル型を特徴としたロープ支持器本体（１）を提供することにある。
【考案の詳細な説明】
【技術分野】
【０００１】
住宅や事務所などの室内や外壁に人がぶらさがれる支持物がないなと感じ、阪神淡路大震災のように建造物が途中で崩壊したり、１階が崩壊しては建物内から出ることができないので、ロープを引っ掛けられる金物を震災の前に取り付いていなければロープを引っ掛けて降りることができないと思い、人が２方向へぶら下がれる支持金具を提供する。
【背景技術】
【０００２】
市街地では中高層のビルが立ち並び、既に建っていることから、屋上の壁やひさしの天井等にアンケーピンとボルト３個で固定され、直角に立った金具の両端にはロープの先端に付いたフックやロープそのものを縛れる穴が開けられた、アングルのような金具を提供し、ロープによる防災路の構築に役立つ金具を提供する。
【先行技術文献】
【特許文献】
【０００３】
【特許文献１】防災３点支持ロープ支持金具    実用新案登録第３１８０８５８号
【考案の概要】
【考案が解決しようとする課題】
【０００４】
阪神淡路大震災のように建物の途中階が崩壊したとき地上に降りるすべがなくなるので、建造物の外に太いロープによる防災路が築ければと特許資料を見ていた時に、防災３点支持ロープ支持金具が目にとまり、それよりコンパクトに役目を果たせる器具を提供することにある。
【課題を解決するための手段】
【０００５】
直角に曲がったアングルの切れ端をアングルロープ支持器本体（１）とし、金具を支持する側に3つの金具取り付け穴を設け、アンカーピンやボルトで建造物に固定できるように金具支持穴（３）を設け、垂直に立った方にはアングルの両端に太いロープの先にフックのついたロープが引っ掛けられるロープ支持穴（２）を設け、アングルの角は怪我をしないように丸みを持たせた事が特徴の器具を提供するものである。
【考案の効果】
【０００６】
防災３点支持ロープ支持金具より少ない質量で2方向にロープが設置できる事が特徴のロープ支持金具である。
【図面の簡単な説明】
【０００７】
【図１】アングル型の３点支持2方向ロープ支持器である。
【考案を実施するための形態】
【０００８】
アングルの素材で本体（１）をなし、構造物に接する面にボルトで取り付けられる金具支持穴（３）を均等に３つ設け、垂直に立つ１辺の角で怪我をしないように丸く削り、両端にフック金具が引っ掛けられるロープ支持穴（２）を設けたことを特徴とするロープ支持器を提供する。
【実施例】
【０００９】
関東から南にこれから起こるであろう地震災害で、建造物が崩壊することで、地上から離れた高さに取り残された被災者を建造物の外側にロープでの防災路としての支えとなる支持物を提供することにあり、地上に降りられない事で避難所へ行けずに餓死する人をなくすことを目的に設置するものである。
【産業上の利用可能性】
【００１０】
中高層の建造物も建設された時期により構造が違い、また、地震も来てみなければどれほどの被害が出るかわからない力を秘めていることから、災害を減少させる意味からも中高層の建造物に取り付けておれば、地震災害直後で崩壊した建造物から被災者自身が自らの力で地上に降りたち、避難所へ行くことで、被災者から支援者へと返信させる設備である。
【符号の説明】
【００１１】
１、アングル型のロープ支持器本体
２、ロープ支持穴
３．金具支持穴
【図１】
0003188229.tif 000003
【手続補正書】
【提出日】平成25年7月10日(2013.7.10)
【手続補正１】
【補正対象書類名】実用新案登録請求の範囲
【補正対象項目名】請求項１
【補正方法】変更
【補正の内容】
【請求項１】
アングル型本体からなる防災用３点支持２連ロープ支持器であって、前記アングル型本体において底辺となる一辺には両端と中間等に３つの取り付け穴を備え、直角に立つもう一辺には両端にロープ支持穴を備え、前記もう一辺の角は丸みを有する事を特徴とする防災用３点支持２連ロープ支持器。
(57)【要約】      （修正有）【課題】移動するにも立ったり座ったりしなくても、座ったままで手と足を使って、どの方向にも滑るように移動できる、キャスター座椅子を提供する。【解決手段】ストッパー４付のキャスター３を座椅子１の下の四隅に取り付けることを特徴とするキャスター座椅子である。【選択図】図２
0003188269.tif 000002
【実用新案登録請求の範囲】
【請求項１】
ストッパー付のキャスターを座椅子の下の四隅に取り付ける。以上を特徴とするキャスター座椅子である。
【考案の詳細な説明】
【技術分野】
【０００１】  本考案は、キャスターを取り付けた座椅子に関するものである。
【背景技術】
【０００２】  従来、ほとんどの座椅子は、フラットな座部の板に背もたれを付け、せいぜい背もたれの角度調整ができるようなものであった。
【考案の開示】
【考案が解決しようとする課題】
【０００３】  従来の座椅子は、移動するためのキャスター等何もついていないものが多く、高さが低すぎ、足・腰に苦痛を感じ、また移動するときも、いちいち立ち上がって持ち運びしなければならなかった。本考案は、以上のような問題点を解決するためになされたものである。
【課題を解決するための手段】
【０００４】  ストッパー付のキャスターを座椅子の下の四隅に取り付ける。以上を特徴とするキャスター座椅子である。
【考案の効果】
【０００５】  座椅子の下にキャスターを付けると、少し高くなって楽な姿勢で体の苦痛を和らげる。移動するにも立ったり座ったりしなくても、座ったままで手と足を使って、どの方向にも滑るように移動できる。
【考案を実施するための最良の形態】
【０００６】  以下、本考案の実施の形態を説明する。
ストッパー（４）付のキャスター（３）を座椅子の座部（１）の下の四隅に取り付ける。
以上を特徴とするキャスター座椅子である。
【図面の簡単な説明】
【０００７】
【図１】  本考案の上面図
【図２】  本考案の斜視図
【符号の説明】
【０００８】１  座部
２  背もたれ
３  キャスター
４  ストッパー
【図１】
0003188269.tif 000003
【図２】
0003188269.tif 000004
(57)【要約】      （修正有）【課題】仏壇としての荘厳さとインテリアとしての装飾性を併せ持つ仏壇を提供する。【解決手段】仏壇１の下面に透明又は半透明の材料よりなる板材７を設けると共に、板材にＬＥＤ光源ランプを埋設した。また、仏壇側壁長手方向に透明又は半透明の材料よりなる板材を設けると共に、板材の上端及び下端の一方或るいは双方にＬＥＤ光源ランプを埋設した。【選択図】図１
0003188297.tif 000002
【実用新案登録請求の範囲】
【請求項１】
仏壇下面に透明又は半透明の材料よりなる板材を設けると共に、当該板材にＬＥＤ光源ランプを埋設した仏壇。
【請求項２】
仏壇側壁長手方向に透明又は半透明の材料よりなる板材を設けると共に、当該板材の上端及び下端の一方或るいは双方にＬＥＤ光源ランプを埋設した請求項１に記載の仏壇。
【考案の詳細な説明】
【技術分野】
【０００１】
本考案は仏壇に関し、より詳しくは、荘厳さと装飾性を併せ持つ仏壇に関する。
【背景技術】
【０００２】
仏壇の戸障子の内陣となる宮殿には、仏像体や仏像体が前面に描かれた掛軸が祀られていると共に、ローソクや電球からなる灯明が前方両側に配置され、仏壇内は薄明るく照らされることが多い。
【０００３】
また、仏壇本体の天井内側に照明器具を設置して仏壇内に照明を当てたり、あるいは、仏壇の本体の左右に位置する柱に光源を設置して、仏壇に両脇から照明を当てたりする場合もある。
【０００４】
特許文献１には、仏壇本体に設けられた長押、中段、下段の仏壇本体正面側端面に凹部を設け、凹部の中に照明器具を設置した仏壇が開示されている。
【０００５】
特許文献２には、載置台内に光源を配置し、載置台上の仏像をライトアップ可能な仏壇が開示されている。
【先行技術文献】
【特許文献】
【０００６】
【特許文献１】登録実用新案公報第３１４９０９６号公報
【特許文献２】登録実用新案公報第３１６５６０２号公報
【考案の概要】
【考案が解決しようとする課題】
【０００７】
生活スタイルの洋風化に伴い、仏間を有する家屋は少なくなっている。係る現状に伴い、仏壇もリビングに設置されることが多くなっている。ゆえに、仏壇にはリビングに設置しても違和感のないインテリアとしての装飾性が要求されることになる。
【０００８】
そこで本考案は、仏壇としての荘厳さとインテリアとしての装飾性を併せ持つ仏壇を提供することを目的とする。
【課題を解決するための手段】
【０００９】
上記の目的を達成する本考案の構成は次の通りである。
【００１０】
（１）  請求項１に記載の考案は、仏壇下面に透明又は半透明の材料よりなる板材を設けると共に、当該板材にＬＥＤ光源ランプを埋設して構成した。
【００１１】
（２）  請求項２に記載の考案は、請求項1に記載の仏壇において、仏壇側壁長手方向に透明又は半透明の材料よりなる板材を設けると共に、当該板材の上端及び下端の一方或るいは双方にＬＥＤ光源ランプを埋設して構成した。
【考案の効果】
【００１２】
上記のように構成される本考案が、如何に作用して課題を解決するかを図面を参照しながら概説する。
【００１３】
本考案に係る仏壇は、仏壇と仏壇を設置する床面或るいは台座面との間に透明又は半透明の板材が介在させてある。しかも、当該板材ににはＬＥＤ光源ランプが取付けられていることから、仏壇と床面等との間から光が漏れることになる。
【００１４】
かような構成ゆえに、仏壇が空中に浮いているが如くの印象を与えることが可能となり、荘厳さと装飾性とを見る者に与えることが可能となるのである。
【００１５】
また、請求項２に記載の考案においては、仏壇側面に透明或るいは半透明の板材が設けられると共に当該板材にＬＥＤ光源ランプが設けられていることから、仏壇側面に光が漏れるスリットが現れ、より荘厳さと装飾性とを併せ持つものとなるのである。
【００１６】
更には、ＬＥＤ光源ランプは、金属発熱線利用の電球のように断線する事が無く、長寿命であるのでメンテナスが不要というメリットがあると共に、発熱量も小さいことから安全面でのメリットも大きい。
【図面の簡単な説明】
【００１７】
【図１】本考案の正面図
【図２】同、側面図
【図３】同Ａ−Ａ線断面図
【図４】板材の斜視図
【図５】板材の一部切断正面図
【考案を実施するための形態】
【００１８】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００１９】
本考案に係る仏壇１は、図１乃至図３に示すように扉２、両側板３、背板４、底板５及び天板６とにより成る箱型形状のものである。
【００２０】
底板５の下部には板材７が一対設置されている。図４に示すように板材７は透光性を有する透明又は半透明の材料よりなる直方体形状の板体であり、具体的にはアクリル樹脂やその他ＭＳ樹脂・ＭＢＳ樹脂・透明ＡＢＳ樹脂・ＳＢＣ樹脂等の透明樹脂あるいは硬化ガラス等を利用可能である。また側壁７ａをフロスト加工すれば柔らかな光の照射が可能となり、より装飾性が高まるものである。
【００２１】
板材７の中央部にはＬＥＤ光源ランプ９が埋設されている。ＬＥＤ光源ランプ９はＬＥＤモジュールと配線基板とにより成る。ＬＥＤモジュールは、発光素子たるＬＥＤチップ、封止樹脂、リード、リフレクタ等より成る通常の照明モジュールである。
【００２２】
仏壇１の扉２、両側板３，３及び背板４の長手方向に透明又は半透明の材料よりなる板材８がその一部表面が外部に表れる形態で埋設されている。
【００２３】
図５に示すように板材８は透光性を有する透明又は半透明の材料よりなる直方体形状の板体であり、具体的にはアクリル樹脂やその他ＭＳ樹脂・ＭＢＳ樹脂・透明ＡＢＳ樹脂・ＳＢＣ樹脂等の透明樹脂あるいは硬化ガラス等を利用可能である。また側壁８ａをフロスト加工すれば柔らかな光の照射が可能となり、より装飾性が高まるものである。
【００２４】
図５に示されるように板材８の上端及び下端にはＬＥＤ光源ランプ１０が埋設されている。ＬＥＤ光源ランプ１０はＬＥＤモジュールと配線基板とにより成る。ＬＥＤモジュールは、発光素子たるＬＥＤチップ、封止樹脂、リード、リフレクタ等より成る通常の照明モジュールである。
【００２５】
なお、ＬＥＤ光源ランプ１０は図５においては板材の上端及び下端の双方に埋設されているが、どちらか一方でも構わない。
【符号の説明】
【００２６】
１・・仏壇        ２・・扉        ３・・側板
４・・背板        ５・・底板      ６・・天板
７，８・・板材    ９，１０・・ＬＥＤ光源ランプ
【図１】
0003188297.tif 000003
【図２】
0003188297.tif 000004
【図３】
0003188297.tif 000005
【図４】
0003188297.tif 000006
【図５】
0003188297.tif 000007
(57)【要約】      （修正有）【課題】分電盤内で起こる放電を防ぎ、簡単にして、有効に電気使用量の削減を実施する一体型分電盤を提供する。【解決手段】分電盤内にマイナスイオン、遠赤外線が出るトルマリン、北投石、ラジウム等の天然鉱石のパウダーを練り込んだシリコンゴム又はセラミック、プラスチック等２を貼り一体型にすることにより実施する。これにより放電を防ぎ、１割から４割の電気使用量を削減できる。シリコンム又はセラミック、プラスチック等２は分電盤カバー１の内側全面貼るものと要所、要所、部分的に貼るものとがある。ブレーカーそれ自身も放電しているのでブレーカー周辺にも貼ると良い。【選択図】図２
0003188293.tif 000002
【実用新案登録請求の範囲】
【請求項１】
分電盤内にマイナスイオンが出る天然鉱石を練り込んだシリコンゴム又はセラミック、プラスチック等を貼った一体型分電盤
【請求項２】
マイナスイオンが出る天然鉱石を練り込んだシリコンゴム又はセラミック、プラスチック等をカバーの内部の全面に貼った請求項１に記載の分電盤
【請求項３】
マイナスイオンが出る天然鉱石を練り込んだシリコンゴム又はセラミック、プラスチック等を要所、要所部分的に貼った請求項１に記載の分電盤
【考案の詳細な説明】
【技術分野】
【０００１】本考案は分電盤内にマイナスイオンの出る天然鉱石パウダーを練り込んだシリコンゴム又はセラミック、プラスチック等を貼ってある一体型分電盤に関する
【技術背景】
【０００２】本考案は分電盤内で、垂れ流されている、放電を防止するもので、普通は、分電盤において多量の放電が行われている。
【考案の概要】
【考案が解決しようとする課題】
【０００３】分電盤内に微量の放射線が出る天然鉱石を練り込んだシリコンゴム又はセラミック、プラスチック等を貼り一体型にすることにより電気使用量が１割から４割削減できるものである。
本考案の実施には分電盤内のほとんど全面に貼るものと、要所、要所、部分的にはる方法と２つ考えられる。シリコンゴム又はセラミック、プラスチック等は微量の線量が出る天然鉱石トルマリン、北投石、ラジウム等の鉱石をシリコンゴム又はセラミック、プラスチック等に混ぜて練ったもので、これによりマイナスイオン効果、遠赤外線、ホルミシス効果があり、有効な効果が得られる。使える天然鉱石は、この他多数ある。【０００４】本考案は、分電盤内にトルマリン、北投石、ラジウム等のパウダーを練り込んだシリコンゴム又はセラミック、プラスチック等を貼った一体型分電盤を提供する。
【考案の効果】
【０００５】分電盤内での電気の放電を抑え、電気使用量を１割から４割、軽減できるものである。
【図面の簡単な説明】
【０００６】
【図１】図１は分電盤のカバー内全面に貼った場合の正面図。
【図２】図２は分電盤のカバー内の要所、要所に貼った場合の正面図
【図３】図３は分電盤の中側部分の正面図
【図４】図４は分電盤カバー内についているクリップで挟み込んだ場合の正面図
【図５】図５は当初より分電盤についているクリップの側面図である。
【図６】図６は絶縁テープ等のテープ類でまたぐ様に貼った場合の正面図である。
【考案を実施するための形態】
【０００７】分電盤内の全面にシリコンゴム又はセラミック、プラスチック等を貼るか、要所、要所に貼る２つの方法がある。
全面に貼るものは分電盤のカバーの内側や全面やブレーカー全面、周り等、殆ど全部貼るものである。
叉、他の方法としては放電を起こしやすい、部分の要所に貼る事でも有効な効果が得られる。これは外れたり、ブレたりすると効果が削減する。
【実施例】
【０００８】図１中は分電盤カバーで、２はシリコンゴム又はセラミック、プラスチック等を示す。【０００９】シリコンゴム又はセラミック、プラスチック等を分電盤カバーの内側の殆ど全部に施したものと部分部分に施したものがあるが、前者は図１で示し、後者は図２、図３で示す。【００１０】シリコンゴム又はセラミック、プラスチック等はトルマリン、北投石、ラジウム、その他多数のもので良く、微量の線量の出る天然鉱石のパウダーを練り込んである。【００１１】ブレーカーそれ自身も放電するので、ブレーカーにも貼って一体型にすると良い。【００１２】天然鉱石の大きな効果によりマイナスイオン効果、遠赤外線効果、ホルミシス効果を発する。【００１３】シリコンゴム又はセラミック、プラスチック等は貼るものと、図４、図５で示す様に当初より分電盤についているクリップ図５を用いる場合がある。叉、図６で示す様に絶縁テープ等のテープ類でシリコンゴム又はセラミック、プラスチック等を跨ぐ様に保持する場合もある。【００１４】今年８月は昨年より暑かったが、ある歯科医院の電気使用量を昨年と比べた所、今年の暑さにも関わらず、２３％電気使用量が減少していた。
【符号の説明】
【００１５】１．分電盤カバー
２．マイナスイオンが出る天然鉱石パウダーを練り込んだシリコンゴム又はセラミック、    プラスチック等
３．挟み込みクリップ
４．絶縁テープ等のテープ類
【図１】
0003188293.tif 000003
【図２】
0003188293.tif 000004
【図３】
0003188293.tif 000005
【図４】
0003188293.tif 000006
【図５】
0003188293.tif 000007
【図６】
0003188293.tif 000008
(57)【要約】      （修正有）【課題】トイレ等使用後の履物をきちんとそろえていない場合、使用者に報せきちんとそろえる習慣をつけるための履物、位置感知センサー及び報知器を提供する。【解決手段】トイレの入り口上部にスリッパの位置感知センサー２を設け、きちんと並んでいるか、そうでないかを感知し、接続線でつないだ報知機の音や光によって使用者に良、不良を報せる。【選択図】図２
0003188086.tif 000002
【実用新案登録請求の範囲】
【請求項１】
履物を並べようとする場所の上部に位置センサ−を取り付け履物の位置を感知することを特徴とする履物位置感知センサ−及び報知機
【請求項２】
請求項１で感知した位置の良、不良を接続線でつないで、良、不良の結果を報せたり結果を記録したりする報知機を付属させることを特徴とす位置感知センサ−及び報知機。
【考案の詳細な説明】
【技術分野】
【０００１】  本考案は、学校等のトイレのスリッパ等を所定の位置に並べているかどうかを感知して、スリッパ等を脱いで並べてようとしている人に報せる機能を有するセンサ−に関するものである。
【背景技術】
【０００２】  従来の学校等のトイレには、履物をそろえたかどうか感知するセンサ−がないため、使用後のスリッパがばらばらになりやすかった。その点検啓発活動も、人が行なうには物理的に限界があった。
【考案の概要】
【考案が解決しようとする課題】
【０００３】  トイレ等使用後の履物をきちんとそろえていない場合、センサ−が感知して使用者に報せきちんとそろえるようとする習慣をつける。
【課題を解決するための手段】
【０００４】  例えばトイレの出入口の上部に位置センサ−をとりつけ、きちんとならべた場合とばらばらな場合にわけ音及び光の信号で使用者に報せる。
【考案の効果】
【０００５】  子どもたちを取り巻く状況がますます忙しなく、落ちつきを失いつつある中
子どもたちの中に何事もきちんとする習慣が失われ、がさつに傾きやすい傾向にある子が増えてきつつある。従来から、トイレのスリッパが揃いだすと学校全体が落ち着いてくると言われ、教師、子どものかかり活動等で熱心に取り組まれているが、中々効果は上がっていない。生活の中で、一時立ち止まって、きちんと揃えるということを通して生活全体に落着きをもたらすという効果が期待できる。
【図面の簡単な説明】
【０００６】
【図１】本考案のトイレ出入口に描かれた足形
【図２】トイレの入口天井部に取り付けられた位置センサ−が作動している様子
【図３】光及び音を発信する報知機
【考案を実施するための形態】
【０００７】  トイレの出入口のスリッパを並べる位置に足形を描く。その足形の斜め上から足形に電波を照射できる天井部分に位置センサ−を取り付ける。足形上にスリッパが並べられた場合接続線を伝わって良好を示す光並びに音を発信する報知機を壁の見易いところに取り付ける。足形以外のところで位置を感知した場合、不良の信号を発信する。
【実施例】
【０００８】  以下添付図に従って、一実施例を説明する。
１は、トイレの出入口でスリッパを並べる位置に描かれた足形。２は、トイレの入り口上部に取り付けられた位置センサ−。３は、良好、不良を示す報知機。４は、位置センサ−から報知機までの接続線。
【符号の説明】
【０００９】１．描かれた足形
２．位置センサ−
３．壁に取り付けられた報知機
４．接続線
【図１】
0003188086.tif 000003
【図２】
0003188086.tif 000004
【図３】
0003188086.tif 000005
【手続補正書】
【提出日】平成25年7月31日(2013.7.31)
【手続補正１】
【補正対象書類名】実用新案登録請求の範囲
【補正対象項目名】全文
【補正方法】変更
【補正の内容】
【実用新案登録請求の範囲】
【請求項１】
履物を並べようとする場所の上部に位置センサ−を取り付け履物の位置を感知することを特徴とする履物位置感知センサ−装置。
【請求項２】
位置センサ−と接続線でつないで、位置センサ−で感知した履物の位置の良、不良の結果を報せたり結果を記録したりする報知機を付属させることを特徴とする請求項１記載の履物位置感知センサ−装置。
(57)【要約】      （修正有）【課題】濡れた洗濯物からの蒸気を乾燥機からできるだけ速い時間に逃がし、乾燥時間を短縮できる洗濯物乾燥機を提供する。【解決手段】乾燥機内部に、温度センサー２と湿度センサー３を備え、蒸気逃がし口１と、温度センサーと湿度センサーとは接続線４で接続されており、湿度センサーにより湿度が飽和状態であることを感知した場合に、接続線を介して蒸気逃がし口を開き、温度センサーにより温度が低下したことを感知した場合には、蒸気逃がし口を閉める。【選択図】図３
0003188087.tif 000002
【実用新案登録請求の範囲】
【請求項１】
乾燥機の内部に温度センサ−と湿度センサ−を設け湿度が無駄に充満しているこを感知した時、乾燥機に設けられた蒸気逃がし口が接続線を通して連動して前記逃がし口が自動的に開き蒸気を大幅に逃がし、逃がしおわった後自動的に閉めることができることを特徴とする蒸気を大きく逃がしながら乾燥させる洗濯物乾燥機。
【考案の詳細な説明】
【技術分野】
【０００１】  本考案は、洗濯ものを乾燥させる際に、小出しに蒸気を逃しつづけて乾燥せずに、蒸気が飽和状態になった時期に、開口部を大きく開けて一気に蒸気を逃がし、乾燥時間を短縮するという乾燥機に関するものである。
【背景技術】
【０００２】  従来の洗濯物乾燥機では、途中開けてみると、開けた瞬間に蒸気が吹き出し少量の洗濯物だと、外に出して熱を取っている内に乾いていった。乾燥機が表示する乾燥するまでの残り時間は１０分以上ある場合もあった。蒸気を小出しにして、時間がかかりすぎていた。
【考案の概要】
【考案が解決しようとする課題】
【０００４】  濡れた洗濯物からの蒸気を乾燥機からできるだけ早い時間に逃がす。
【課題を解決するための手段】  洗濯物乾燥機に、温度センサ−、湿度センサ−を取り付け飽和状態まで湿度が上昇した時点で、乾燥機の上部に設けた大きく開く開口部を開き蒸気を大幅に逃がす。
【考案の効果】
【０００５】  乾燥時間が速くなり、それとともにエネルギ−が節約できる。
【図面の簡単な説明】
【０００６】
【図１】乾燥機に設けられた開口部。
【図２】温度センサ−。
【図３】湿度センサ−。
【考案を実施するための形態】
【０００７】  乾燥機の上部で、途中開けても支障のない位置に大きく開いて蒸気を逃がす開口部を設ける。乾燥機内部に温度センサ−と、湿度センサ−を設け湿度が飽和状態であることを感知した時、接続線でつないだ開口部が開く。しばらく、熱を供給しないで、回して、蒸気を逃がしつづけ、下がりすぎない最適な温度で再び開口部を閉じ、熱を供給する。これを、洗濯物の量によって数回繰り返し、蒸気を従来のものよりも速く乾燥機の外に逃がす。それによって、洗濯物の乾燥時間の短縮とエネルギ−の節約ができる。
【実施例】
【０００８】  以下添付図に従って、一実施例を説明する。
１は、乾燥機に設けられた開口部。２は、乾燥機内部の温度を感知する温度センサ−。
３は、乾燥機内部の湿度を感知する湿度センサ−。４は、接続線。
【符号の説明】
【０００９】１．乾燥機に設けられた開口部。
２．温度センサ−
３．湿度センサ−
４．接続線
【図１】
0003188087.tif 000003
【図２】
0003188087.tif 000004
【図３】
0003188087.tif 000005
【手続補正書】
【提出日】平成25年8月19日(2013.8.19)
【手続補正１】
【補正対象書類名】実用新案登録請求の範囲
【補正対象項目名】全文
【補正方法】変更
【補正の内容】
【実用新案登録請求の範囲】
【請求項１】
蒸気逃がし口を有する洗濯物乾燥機であって乾燥機内部には、温度センサーと湿度センサーを備えるとともに、前記蒸気逃がし口と、前記温度センサーと湿度センサーとは接続線で接続されており、前記湿度センサーにより湿度が飽和状態であることを感知した場合に、前記接続線を介して前記蒸気逃がし口を開くとともに、前記温度センサーにより温度が低下したことを感知した場合に、前記接続線を介して前記蒸気逃がし口を閉めることを特徴とする洗濯物乾燥機。
(57)【要約】      （修正有）【課題】観賞用の機能を付けた鑑賞用ウッドチップを提供する。【解決手段】ウッドチップにする材を星型、三角形、四角形又は円形に加工した鑑賞用ウッドチップ。【選択図】図１
0003188088.tif 000002
【実用新案登録請求の範囲】
【請求項１】
ウッドチップにする材を記号、図形、絵の形に加工した物。
【考案の詳細な説明】
【考案の概要】
【考案が解決しようとする課題】
【０００１】ウッドチップに観賞用の機能を付ける。
【課題を解決するための手段】
【０００２】ウッドチップにする材を記号、図形、絵の形に加工をする。
【考案の効果】
【０００３】観賞用としての効果がある。
【図面の簡単な説明】
【０００４】
【図１】平面図。
【考案を実施するための形態】
【０００５】ウッドチップにする材を記号、図形、絵の形に加工をする。
【図１】
0003188088.tif 000003
【手続補正書】
【提出日】平成25年10月7日(2013.10.7)
【手続補正１】
【補正対象書類名】実用新案登録請求の範囲
【補正対象項目名】全文
【補正方法】変更
【補正の内容】
【実用新案登録請求の範囲】
【請求項１】
ウッドチップにする材を星型、三角形、四角形又は円形に加工した観賞用ウッドチップ。
(57)【要約】      （修正有）【課題】処理袋の装着が容易で、糞が入った処理袋の取り外しが容易なペットの糞を処理する糞処理器具を提供する。【解決手段】ペットの糞を処理する糞処理器具１は、使用者が握る把持部１０と、弾性変形可能な素材で形成された棒状体を前方に、ぼう出するように、湾曲させ、一端を把持部１０に固定させ、他端をスライド自在に、把持部１０に係合させた、骨部２０とを備える。骨部２０は、表面が滑りやすく形成され、前方側から、糞を収容するビニール袋に挿入される。【選択図】図１
0003188393.tif 000002
【実用新案登録請求の範囲】
【請求項１】
ペットの糞を処理する糞処理器具であって、使用者が握る把持部と、弾性変形可能な
素材で形成された棒状体を前方に、ぼう出するように、湾曲させ、一端を把持部に固
定させ、他端をスライド自在に、把持部に係合させた骨部とを備え、骨部は、表面が
滑りやすく形成され、前方側から、糞を収容する袋に、挿入されるペットの糞を処理    する糞処理器具。
【請求項２】
把持部の少なくとも後端側は空どうが形成され、把持部の後端に着脱自在に設けられ    るヘラ部を更に備え、ヘラ部は、把持部の外径と同じ外径で形成されたつまみ部と、
つまみ部の先端に設けられ、少なくとも一部が把持部の空どうの内径と同じ外径で形
成された支持部と、支持部に抜き差し自在に係止される片部とが把持部の空どうに収
容される、請求項１に記載のペットの糞を処理する糞処理器具。
【考案の詳細な説明】
【技術分野】
【０００１】
この発明はペットが糞を排便する際に処理する器具である。
【背景技術】
【０００２】
従来、袋を装着する環状または多角形形成部表面に摩擦係数の高いシリコン系ゴムを塗布する事で処理袋（レジ袋等のナイロン、ビニール袋）を環状または多角形枠体の内側から外側に折り返すだけで袋が装着でき、更に折り返した袋自体が枠体を覆う糞取り器具が提案されている。        
【先行技術文献】
【特許文献】
【０００３】
【特許文献１】特開  ２０１３−１３２２９  号  公報
【考案の概要】
【考案が解決しようとする課題】
【０００４】
しかしながら、先行技術によればビニール袋を装着する際、環状枠体の中に袋口を上にして、押し込み袋口を枠体に沿って外側へ折り込むことに、手間取る、また、先行技術は枠体に塗布してある樹脂の摩擦係数が高い値なのでビニール袋の取り外しが困難である。処理袋の装着が容易で、糞が入った処理袋の取り外しが容易な糞処理器具を提供する。
【課題を解決するための手段】
【０００５】
ペットの糞を処理する糞処理器具であって、使用者が握る把持部と、弾性変形可能な素材で形成された棒状体を前方に、ぼう出するように、湾曲させ、一端を把持部に固定させ、他端をスライド自在に、把持部に係合させた骨部とを備え、骨部は、表面が滑りやすく形成され、前方側から,  糞を収容する袋に、挿入される糞処理器具。
【考案の効果】
【０００６】
処理袋の装着が容易で糞が入った処理袋の取り外しが容易な、糞処理器具を提供できる。
【図面の簡単な説明】
【０００７】
【図１】本発明の実施形態に係わる糞処理器具を説明する図である。
【図２】前記実態形態の片部を説明する図である。
【図３】前記実態形態に係る糞処理器具の使い方を説明する図である。
【考案を実施するための形態】
【０００８】
図１は本発明の実施形態に係わる糞処理器具を説明する図である。ペットの糞を処理する糞処理器具１は使用者が握る把持部１０と弾性変形可能な素材で形成された棒状体を前方に、ぼう出するように、湾曲させ一端を把持部１０に固定させ、他端をスライド自在に、把持部１０に係合させた骨部２０とを備え、骨部２０は表面が滑りやすく形成され、前方側から、糞を収容する袋１００に、挿入される。
【０００９】
把持部１０はプラスチックで形成され、把持部１０先端より５０ミリメートルより角度を２５度付け後端を上げる事で糞処理器具１の扱いが容易になる。
把持部１０後部に厚紙使用の片部３０を差込、糞の取りこぼしなど、片部３０を使い処理できる。
【００１０】
図２は前記実態形態のヘラ部３０を説明する図である。また、糞処理器具１は、把持部１０の少なくとも後端側は、空洞が形成され、把持部１０の後端に、着脱自在に設けられ、ヘラ部３０を更に備え、ヘラ部３０は、把持部１０の外径と同じ外径で形成された、つまみ部３１と、つまみ部３１の先端に設けられ、少なくとも一部が、把持部１０の空洞の内径と、同じ外径で形成された支持部３２と支持部３２に抜き差し自在に係止される片部３３とを備え、支持部３２とヘラ部３０とが把持部１０の空洞に収容される。
【００１１】
つまみ部３１は片部３３を使用する際、引き抜くために、つまむ所である。支持部３２には、片部３３全体を、把持部１０後部に差込、先端に片部３３となる厚紙を差込取り付ける。片部３３は厚紙であり、支持部３２の先端の溝に差込取り付け、糞処理の際取りこぼした糞をビニール袋１００に片部３３で取り入れ、使用後は、引き抜き、交換する。
【００１２】
骨部２０には摩擦係数の低い樹脂を塗布することで、ビニール袋１００との滑りを良くする。また、骨部２０は把持部１０一端に固定させ、他端をスライド自在に把持部１０に係合させる。骨部２０を手元で絞ることでビニール袋１００の取り外が容易である、また、把持部１０後部に厚紙の片部３０を抜き取り出せるように仕込み、ペットの排便に間に合わず、糞をビニール袋１００外に取りこぼした際に、糞処理器具１を、片手でシャベルを使う要領で把持部１０に仕込んである、厚紙製の片部３３で糞を取り入れる。
【００１３】
図３は、前記実態形態に係る糞処理器具１の使い方を説明する図である。糞処理器具１でペットの糞を受け取った後、ビニール袋１００の口下側を指でつまみ糞の重みで、沈んでいる下を前側へくぐらせ、上に向かって引き抜く、その際骨部２０を絞ることで、ビ
ニール袋１００の取り外しが、容易になる。
【符号の説明】
【００１４】
１      糞処理器具
１０    把持部
２０    骨部
１００  袋
【図１】
0003188393.tif 000003
【図２】
0003188393.tif 000004
【図３】
0003188393.tif 000005
(57)【要約】      （修正有）【課題】構造が簡単で、娯楽性の強い多機能ティーテーブルを提供する。【解決手段】多機能ティーテーブルであって、パネル５、及びパネル上部に設置されたガラス１を含め、上述したパネルの四つのコーナーには支持脚６が装備され、パネル内部の両端にローラー３が設置され、ローラーの上にチェスマニュアル２が設置され、ローラーの外側にノブ４が設置される。これにより、簡単な構造で、操作しやすく、低い生産コストを有し、量産しやすい利点を持つことを特徴とする。【選択図】図１
0003188387.tif 000002
【実用新案登録請求の範囲】
【請求項１】
多機能ティーテーブルで、その特徴とは：パネル、及びパネル上部に設置されたガラスを含め、上述したパネルの四つのコーナーには支持脚が装備され、パネル内部の両端にローラーが設置され、ローラーの上にチェスマニュアルが設置され、ローラーの外側にノブが設置されることを特徴とする多機能ティーテーブル。
【考案の詳細な説明】
【技術分野】
【０００１】
本実用新案は家具リビングの分野に関与して、具体的には多機能ティーテーブルである。
【背景技術】
【０００２】
ティーテーブルは人々の日常生活に、お茶を飲むときよく使われる家具である。しかし、現在のティーテーブルには多くの不足が存在し、人々の実用的なニーズを満たすことができない。伝統的なティーテーブルは1つテーブルのみで、収納スペースが小さく、機能も単一で、娯楽機能が欠如する。
【考案の概要】
【考案が解決しようとする課題】
【０００３】
本実用新案で解決しようとする技術問題とは、構造が簡単で、娯楽性の強い多機能ティーテーブルを提供したい。
【課題を解決するための手段】
【０００４】
本実用新案では、次の技術的な案を通して、実現したものである：
パネル、及びパネル上部に設置されたガラスを含め、上述したパネルの四つのコーナーには支持脚が装備され、パネル内部の両端にローラーが設置され、ローラーの上にチェスマニュアルが設置され、ローラーの外側にノブが設置される。
【考案の効果】
【０００５】
本実用新案の有益な効果とは：本実用新案は、簡単な構造、操作しやすく、低い生産コスト、量産しやすい利点を持つ。
【図面の簡単な説明】
【０００６】
【図１】本実用新案多機能ティーテーブルの構造概略図である。
【考案を実施するための形態】
【０００７】
説明を容易にするために、本実用新案は次の具体的な実施例、及び添付図面で詳しく説明する。
【０００８】
図1の様に、本実用新案の多機能ティーテーブルは、パネル5、及びパネル5上部に設置されたガラス1を含め、上述したパネル5の四つのコーナーには支持脚6が装備され、パネル5内部の両端にローラー3が設置され、ローラー3の上にチェスマニュアル2が設置され、ローラー3の外側にノブ4が設置される。
【０００９】
そのうち、上述したチェスマニュアル2は一個以上である。
【００１０】
本実用新案の有益な効果とは：本実用新案は、簡単な構造、操作しやすく、低い生産コスト、量産しやすい利点を持つ。
【００１１】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、権力要求書で限定された範囲に準じる。
【符号の説明】
【００１２】
1  ガラス
2  チェスマニュアル
3  ローラー
4  ノブ
5  パネル
6  支持脚
【図１】
0003188387.tif 000003
(57)【要約】      （修正有）【課題】構造が簡単で、娯楽性の強いティーテーブルを提供する。【解決手段】パネル、床と支持脚を含み、パネルの周囲にＬＥＤライトが設置され、パネルと床の間に第一スピーカー２と第二スピーカー５が設置され、第一スピーカーと第二スピーカーにスピーカユニット１が設置され、第一スピーカーと第二スピーカーの間にイコライザ３が設置され、イコライザの上部に引き出し４が設置され、すべての支持脚は、パネルと床と接続する。【選択図】図１
0003188385.tif 000002
【実用新案登録請求の範囲】
【請求項１】
新型ティーテーブルで、その特徴とは：パネル、床と支持脚を含め、上述したパネルの周囲にLEDライトが設置され、パネルと床の間に第一スピーカーと第二スピーカーが設置され、第一スピーカーと第二スピーカーにスピーカユニットが設置され、第一スピーカーと第二スピーカーの間にイコライザが設置され、イコライザの上部に引き出しが設置され、上述したすべての支持脚は、パネルと床と接続することを特徴とする新型ティーテーブル。
【考案の詳細な説明】
【技術分野】
【０００１】
本実用新案は家具リビングの分野に関与して、具体的には新型ティーテーブルである。
【背景技術】
【０００２】
現在市場に出回っているティーテーブルでは、不当な設計や、外観がよくなく、機能も単一で、娯楽機能が欠如し、人々のニーズを満たすことができない問題が存在している。
【考案の概要】
【考案が解決しようとする課題】
【０００３】
本実用新案で解決しようとする技術問題とは、構造が簡単で、娯楽性の強い新型ティーテーブルを提供したい。
【課題を解決するための手段】
【０００４】
本実用新案では、次の技術的な案を通して、実現したものである：
パネル、床と支持脚を含め、上述したパネルの周囲にLEDライトが設置され、パネルと床の間に第一スピーカーと第二スピーカーが設置され、第一スピーカーと第二スピーカーにスピーカユニットが設置され、第一スピーカーと第二スピーカーの間にイコライザが設置され、イコライザの上部に引き出しが設置され、上述したすべての支持脚は、パネルと床と接続する。
【考案の効果】
【０００５】
本実用新案の有益な効果とは：本実用新案は、簡単な構造、合理的な構造設計、強い娯楽性、人々のニーズを満たすという利点を持つ。
【図面の簡単な説明】
【０００６】
【図１】本実用新案新型ティーテーブルの構造概略図である。
【考案を実施するための形態】
【０００７】
説明を容易にするために、本実用新案は次の具体的な実施例、及び添付図面で詳しく説明する。
【０００８】
図1の様に、本実用新案の新型ティーテーブルは、パネル9、床6と支持脚7を含め、上述したパネル9の周囲にLEDライト8が設置され、パネル9と床6の間に第一スピーカー2と第二スピーカー5が設置され、第一スピーカー2と第二スピーカー5にスピーカユニット1が設置され、第一スピーカー2と第二スピーカー5の間にイコライザ3が設置され、イコライザ3の上部に引き出し4が設置され、上述したすべての支持脚7は、パネル9と床6と接続する。
【０００９】
本実用新案の有益な効果とは：本実用新案は、簡単な構造、合理的な構造設計、強い娯楽性、人々のニーズを満たすという利点を持つ。
【００１０】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、権力要求書で限定された範囲に準じる。
【符号の説明】
【００１１】
1  スピーカユニット
2  第一スピーカー
3  イコライザ
4  引き出し
5  第二スピーカー
6  床
7  支持脚
8  LEDライト
9  パネル
【図１】
0003188385.tif 000003
(57)【要約】      （修正有）【課題】簡単な構造、美しい外観、手ごろな価格という特徴を持つＣ字状のティーテーブルを提供する。【解決手段】Ｃ字状のティーテーブルは、パネル１と床２を含め、上述したパネルと床の接続は円弧状のプレート３を用いて、パネルの表に保護ストリップ４で囲まれている。簡単な構造、美しい外観、手ごろな価格と取り扱いが容易という利点を持つ。【選択図】図１
0003188389.tif 000002
【実用新案登録請求の範囲】
【請求項１】
C字状のティーテーブルで、その特徴とは：パネルと床を含め、パネルと床の接続は円弧状のプレートを用いて、パネルの表に保護ストリップで囲まれていることを特徴とするC字状のティーテーブル。
【考案の詳細な説明】
【技術分野】
【０００１】
本実用新案は家具リビングの分野に関与して、具体的にはC字状のティーテーブルである。
【背景技術】
【０００２】
現在市場に出回っているティーテーブルでは、不当な設計や、外観がよくないなどの問題が存在している。
【考案の概要】
【考案が解決しようとする課題】
【０００３】
本実用新案で解決しようとする技術問題とは、簡単な構造、美しい外観、手ごろな価格という特徴を持つC字状のティーテーブルを提供したい。
【課題を解決するための手段】
【０００４】
本実用新案では、次の技術的な案を通して、実現したものである：
この実用新案のC字状のティーテーブルは、パネルと床を含め、パネルと床の接続は円弧状のプレートを用いて、パネルの表に保護ストリップで囲まれている。
【考案の効果】
【０００５】
本実用新案の有益な効果とは：簡単な構造、美しい外観、手ごろな価格と取り扱いが容易という利点を持つことである。
【図面の簡単な説明】
【０００６】
【図１】本実用新案C字状のティーテーブルの構造概略図である。
【考案を実施するための形態】
【０００７】
説明を容易にするために、本実用新案は次の具体的な実施例、及び添付図面で詳しく説明する。
【０００８】
図1の様に、本実用新案のC字状のティーテーブルは、パネル1、床2を含め、上述したパネル1と床2の接続は円弧状のプレート3を用いて、パネル1の表に保護ストリップ4で囲まれている。
【０００９】
本実用新案の有益な効果とは：簡単な構造、美しい外観、手ごろな価格と取り扱いが容易という利点を持つことである。
【００１０】
上記内容は、本実用新案の具体的な実施方式のみであり、本実用新案の保護範囲では、これに限定されるものではない。創造的な仕事をせず、思いついた任意の変更、また交換は、すべて本実用新案の保護範囲に覆われる。従って、本実用新案の保護範囲は、権力要求書で限定された範囲に準じる。
【符号の説明】
【００１１】
1  パネル
2  床
3  プレート
4  保護ストリップ
【図１】
0003188389.tif 000003